(57)【特許請求の範囲】
【請求項１】
操作器から受信した第一の信号形式の信号を第二の信号形式の駆動信号に変換して電気錠に送信し、電気錠から受信した第二の信号形式の状態信号を第一の信号形式の信号に変換して操作器に送信する電気錠アダプタ装置において、
係合部を有して第一の信号形式の信号を第二の信号形式の駆動信号に変換するプリント基板を収納している筐体と、該係合部と係合して筐体を保持する取付枠と、壁面内に埋め込み設置して取付枠を壁面内に固着するための埋め込みボックスと、壁面外に位置しつつ埋め込みボックスに取り付けて第一の信号形式の信号を第二の信号形式の駆動信号に変換するプリント基板を収納している筐体の正面を覆うカバープレートと、を有することを特徴とする電気錠アダプタ装置。
【請求項２】
前記カバープレートは筐体の正面部と略同形状の開口部を有し、筐体の正面部が該開口部から露出することを特徴とする請求項１記載の電気錠アダプタ装置。
【発明の詳細な説明】
【０００１】
【発明の属する技術分野】
本発明は、例えば屋内から押釦操作等により施錠・解錠等できる電気錠システムの信号伝送において一の信号形式の信号を他の信号形式の信号に変換する電気錠アダプタ装置に関する。
【０００２】
【従来の技術】
従来の技術の電気錠アダプタ装置を図３、図４を用いて説明する。図３は電気錠システムの構成図である。図４は電気錠アダプタ装置の斜視図である。
【０００３】
従来より電気錠システムは、電気錠１と、操作器２とを有して構成されている。電気錠１は、ドア部材３が閉状態の場合にドア枠部材と対向するドア部材１の端面に設けられ、ドア枠部材に設けられた不図示のトリガに押圧されることにより扉が閉状態であることを検出する所定の面積を有する開閉検出部と、操作部２からの駆動信号に基づいてデッドボルトを進退させるデッドボルト駆動部とを有している。
【０００４】
ところで、電気錠システムの電気錠１と操作器２との接続は、いわゆるぞろび引きの６線で接続するものと、２線により接続して多重伝送を行うものとがある。
【０００５】
そして、当初はぞろ引き６線の電気錠システムを敷設していたが、ドア部材１にはぞろ引き６線用の電気錠を残して、室内等に設置されている操作器２を２線式のものに取り替えたい場合がある。
【０００６】
この場合、図３に示すように、第一の信号形式の信号を送受する６線式の信号線５と第二の信号形式の信号を送受する２線式の信号線６との間に電気錠アダプタ装置４を介在させるにより、ぞろ引き６線式用の電気錠と２線式用の操作器２とを接続することができる。
【０００７】
電気錠アダプタ装置４は、図４に示すように、大略直方体の箱体の筐体に解錠・施錠検知回路や電気錠制御回路、２線式の信号線に対して信号を送受する送受信回路等を実装したプリント基板が収納されているものである。そして、電気錠アダプタ装置４は、その一面に２線式の信号線６を接続する端子４ａ，４ａを有し、また６線の信号線５と接続するためのコネクタ４ｂを有している。
【０００８】
電気錠アダプタ装置４は操作器２から２線式の信号線６を介して受信した信号を変換して、電気錠１に６線の信号線５を介して駆動信号として送信する。また電気錠アダプタ装置４は、電気錠１から６線の信号線５を介して受信した状態信号を変換して、操作器２に２線式の信号線６を介して該信号を送信する。
【０００９】
以上ようにして、電気錠アダプタ装置４を用いることにより、ぞろ引き６線用の電気錠と２線式の操作器２とを接続して使用することができる。
【００１０】
【発明が解決しようとする課題】
しかしながら、上述のような図４に示す電気錠アダプタ装置４あっては、筐体が例えば単純な直方体であって、電気錠アダプタ装置４を設置する場合には、この筐体を天井や壁内にころがして配置していた。
【００１１】
従って、電気錠アダプタ装置の保守を行う場合には、天井にころがされている電気錠アダプタ装置を取り出して点検する必要があるため、保守に時間と労力を要するという問題点があった。
【００１２】
本発明は、上記問題点を改善するために成されたもので、その目的とするところは、保守を容易に行うことの出来る電気錠アダプタ装置を提供することにある。
【００１３】
【課題を解決するための手段】
本発明は上記の問題を解決するために、請求項１記載の発明にあっては、操作器から受信した第一の信号形式の信号を第二の信号形式の駆動信号に変換して電気錠に送信し、電気錠から受信した第二の信号形式の状態信号を第一の信号形式の信号に変換して操作器に送信する電気錠アダプタ装置において、係合部を有して第一の信号形式の信号を第二の信号形式の駆動信号に変換するプリント基板を収納している筐体と、該係合部と係合して筐体を保持する取付枠と、壁面内に埋め込み設置して取付枠を壁面内に固着するための埋め込みボックスと、壁面外に位置しつつ埋め込みボックスに取り付けて第一の信号形式の信号を第二の信号形式の駆動信号に変換するプリント基板を収納している筐体の正面を覆うカバープレートと、を有することを特徴とするものである。
【００１４】
請求項２記載の発明にあっては、前記カバープレートは筐体の正面部と略同形状の開口部を有し、筐体の正面部が該開口部から露出することを特徴とするものである。
【００１５】
【発明の実施の形態】
本発明の実施の形態を図１、図２を用いて説明する。図１は電気錠アダプタ装置の外観を示す斜視図である。図２は電気錠アダプタ装置の取付枠及び筐体の他の例を示す正面図である。
【００１６】
図１において、電気錠アダプタ装置は、筐体７と、カバープレート９と、取付枠１０と、埋め込みボックス１３と、を有している。
【００１７】
筐体７は、大略直方体の箱体であって、解錠・施錠検知回路や電気錠制御回路、２線式の信号線に対して信号を送受する送受信回路等を実装したプリント基板を収納している。そして、筐体７は、裏面部７ａに２線式の信号線を接続する端子７ｂ，７ｂと、６線の信号線に接続するためのコネクタ７ｃを有している。
【００１８】
筐体７の両側面には、係合部８ａ，８ｂが立設してある。係合部８ａ，８ｂは、一面が取付枠１０の側を臨むようにして筐体７の側面に立設された板体であって端部には切欠き８ｃが設けて有る。この切欠き８ｃは、後述の取付枠１０の係合部１０ｅ，１０ｆに係合する形状となしてある。
【００１９】
カバープレート９は、大略板体であって、取付枠等壁内に取り付けた各部品が外部即ち室内に露出しないようにこれら部品を覆うようにして壁面に取り付けられるものである。カバープレート９の中央部分には筐体７の正面部７ｄと同形状の開口部９ａが設けてあり、筐体７の正面部７ｄが室内に露出するようになされている。また、カバープレート９の上下２箇所にネジ穴９ｂ，９ｃが設けてある。
【００２０】
取付枠１０は、カバープレート９よりやや小さい長方形の枠体であって、ＪＩＳ規格などで規格化されており、一般的にはコンセントやスイッチ等の配線器具を一又は複数個取り付けるものである。本実施の形態ではコンセント等を縦方向に３つ並べて取り付けることができるものであっていわゆる１コ用と称される取付枠を用いている。
【００２１】
取付枠１０にはカバープレート９のネジ穴９ｂ，９ｃと重合する位置に、ネジ穴１０ａ，１０ｂが設けてあり、更に、該ネジ穴１０ａ，１０ｂより内側に位置する部分にネジ穴１０ｃ，１０ｄが設けてある。また、取付枠１０の壁内側の面には、筐体７の係合部８ａ，８ｂと係合する係合部１０ｅ，１０ｆを有した取付部１０ｇ，１０ｈが立設されている。
【００２２】
埋め込みボックス１３は、正面部を開放した大略直方体の箱体であって、一方の側面部１３ａの上端部及び下端部を各々上方及び下方に延設した取付片１３ｂ，１３ｃを有している。取付片１３ｂ，１３ｃには各々ネジ穴１３ｄ，１３ｅが設けてある。また、上面部１３ｆ、下面部１３ｇ、他方の側面部１３ｈには、各々２線及び６線の信号線を挿通するための挿通穴１３ｉ，１３ｊ，１３ｋが設けてある。また、上面部１３ｆ及び下面部１３ｇの取付枠側には各々延設片１３ｌ，１３ｍが設けてあり、該延設片１３ｌ，１３ｍには取付枠１０のネジ穴１０ｃ，１０ｄと重合する位置にネジ穴１３ｎ，１３ｏが設けてある。
【００２３】
以上のようにして構成された電気錠アダプタ装置にあっては、以下のようにして壁面に取り付けられる。
【００２４】
まず、予め開口部を設けた壁の内部において、ネジ穴１３ｄ，１３ｅにネジ１４ａ，１４ｂを螺合して、埋め込みボックス１３を壁内に螺着する。次に、２線式の信号線及び６線の信号線を挿通穴１３ｉ，１３ｊ，１３ｋのいずれかより挿通して埋め込みボックス１３内に導き、各々筐体７の裏面部７ａの端子７ｂ，７ｂとコネクタ７ｃに接続する。
【００２５】
そして、該筐体７を取付枠１０の取付部１０ｇ，１０ｈに取り付ける。その後に取付枠１０のネジ穴１０ｃ，１０ｄと埋め込みボックス１３のネジ穴１３ｎ，１３ｏとを重合させて、ネジ１２ａ，１２ｂをネジ穴１０ｃ，１０ｄに螺合させ、該ネジ１２ａ，１２ｂでもって取付枠１０と埋め込みボックス１３とを螺着する。
【００２６】
最後に、ネジ穴９ｂ，９ｃと取付枠１０のネジ穴１０ａ，１０ｂとを重合させ、ネジ１１ａ，１１ｂをネジ穴９ｂ，９ｃに螺合して、カバープレート９を取付枠１０に螺着する。すると、筐体７の正面部７ｄがカバープレート９の開口部９ａから露出して、正面部７ｄとカバープレート９との表面が面一となる。以上により、取付が完了する。
【００２７】
以上のようにして構成した電気錠アダプタ装置にあっては、壁面に配設することができるので、従来の天井裏等に電気錠アダプタ装置が配設されている場合に較べて、保守者が保守を行う際に電気錠アダプタ装置の配設位置を素早く見つけることができ、また容易に電気錠アダプタ装置を取り出すことができる。
【００２８】
また、カバープレート９から筐体７の正面部７ｄが露出しているので、完全にカバープレートで覆われて収納されている場合に較べて、より保守者にとって電気錠アダプタ装置の配設位置を見つけだしやすいものとなっている。
【００２９】
また、他の実施の形態として、図２に示すように取付枠１０の開口部分を横方向に２倍に拡大したいわゆる２コ用と称される取付枠１５と、該２コ用の取付枠１５に取付可能な大きさの筐体１６でもって構成してもよい。そして、カバープレート及び埋め込みボックスも筐体に対応した大きさとする。この場合には、筐体１６内部により多くの収納空間が存在するため、筐体７に較べてプリント基板を多く内設することができる。
【００３０】
また、本実施の形態では、正面部７ｄには何も表示していないが、例えば電気錠アダプタ装置であることを表示する文字や記号をその表面に印刷、刻設等してもよく、この場合にあっては保守者は間違いなく電気錠アダプタ装置を取り出すことができる。更に、正面部７ｄに操作器からの給電により点灯する動作表示灯を設けて、電気錠アダプタ装置が正常に給電されて動作しているかを常時監視できるようにしてもよい。
【００３１】
なお、本実施の形態では、電気錠アダプタ装置は、６線式と２線式とを変換するものとして説明しているが、これらに限られるものではなく、異なる信号形式を変換するものであればよい。
【００３２】
【発明の効果】
本発明の電気錠アダプタ装置は上述のように構成してあるから、請求項１記載の発明にあっては、埋め込みボックスを壁面内に埋め込み設置して、取付枠を介して埋め込みボックスに第一の信号形式の信号を第二の信号形式の駆動信号に変換するプリント基板を収納している筐体を固定するので、保守を行う者が保守を行う際に電気錠アダプタ装置の配設位置を素早く見つけることができ、また容易に電気錠アダプタ装置を取り出すことができ、よって、保守が容易である電気錠アダプタ装置を提供できるという効果を奏する。
【００３３】
請求項２記載の発明にあっては、前記カバープレートは筐体の正面部と略同形状の開口部を有し、筐体の正面部が該開口部から露出するので、保守者はより電気錠アダプタ装置を見つけやすく、よってより保守が容易である電気錠アダプタ装置を提供できるという効果を奏する。
【図面の簡単な説明】
【図１】本発明の電気錠アダプタ装置の外観を示す斜視図である。
【図２】電気錠アダプタ装置の取付枠及び筐体の他の例を示す斜視図である。
【図３】電気錠システムの構成図である。
【図４】従来の技術の電気錠アダプタ装置の斜視図である。
【符号の説明】
７      筐体
８      係合部
９      カバープレート
９ａ    開口部
１０    取付枠
１３    埋め込みボックス
【図１】
0003651182.tif 000002
【図２】
0003651182.tif 000003
【図３】
0003651182.tif 000004
【図４】
0003651182.tif 000005